(57)【特許請求の範囲】
【請求項１】
放射線検出器であって、
放射線検出センサと、
前記放射線検出器に電力を供給するバッテリと、
前記放射線検出センサで得られた画像を無線通信及び有線通信により外部装置に送信する通信手段と、
前記有線通信のため及び前記バッテリへの電力供給を行うための接続部と、
表示部と、
前記通信手段と前記外部装置との通信形態が無線通信である場合には前記表示部の特定の表示領域で前記放射線検出器の残り動作時間を報知させ、前記通信形態が有線通信である場合には該特定の表示領域で前記バッテリの充電完了に要する時間を報知させる表示制御手段と、
を有することを特徴とする放射線検出器。
【請求項２】
前記表示制御手段は、前記通信形態が有線通信である場合には、前記表示部に前記バッテリの充電状態を示す表示をさせることを特徴とする請求項１に記載の放射線検出器。
【請求項３】
前記表示部は、通信形態に応じて異なる種類の表示をするための第一の表示領域と、通信状態、被検者ＩＤ、被検者名、撮影条件、撮影部ＩＤ、撮影場所、撮影時刻の少なくともいずれかの情報を表示するための第二の表示領域を有し、
前記表示制御手段は、前記通信形態が無線通信である場合には前記第一の表示領域に前記放射線検出器の残り動作時間を表示させ、前記通信形態が有線通信である場合には前記第一の表示領域に前記放射線検出器の残り動作時間を示す表示をさせないことを特徴とする請求項１に記載の放射線検出器。
【請求項４】
前記表示部は前記放射線検出器の放射線入射面以外の面に設けたことを特徴とする請求項１に記載の放射線検出器。
【請求項５】
前記接続部は、前記有線通信を行うためのケーブルを接続するコネクタであることを特徴とする請求項１に記載の放射線検出器。
【請求項６】
前記接続部はコネクタであり、
前記バッテリは、前記コネクタを介して供給される電力により充電されることを特徴とする請求項１に記載の放射線検出器。
【請求項７】
放射線センサの情報を表示部に表示させるための制御ユニットであって、
有線通信及び無線通信により放射線センサと通信し、該放射線センサで得られる放射線画像を該有線通信または該無線通信のいずれかで受信する通信手段と、
前記通信形態が無線通信である場合には表示部における特定の表示領域で前記放射線検出センサの残り動作時間を報知させ、前記通信形態が有線通信である場合には前記特定の表示領域で前記バッテリの充電完了に要する時間を報知させる表示制御手段と、
を有することを特徴とする制御ユニット。
【請求項８】
放射線画像を得る放射線センサとバッテリとを有する放射線検出器と、前記放射線検出器を制御する操作部と、
前記放射線検出器と前記操作部との、有線通信及び無線通信による放射線画像の転送を媒介する信号送受信機と、を有する放射線撮影システムであって、
表示部であって、前記信号送受信機を介して前記放射線検出器が無線で通信する場合には該表示部の特定の表示領域で前記放射線検出器の残り動作時間を示す報知し、有線で通信する場合には該特定の表示領域で前記バッテリの充電完了に要する時間を報知する表示部を有することを特徴とする放射線画像撮影システム。
【請求項９】
前記表示部は前記放射線検出器と前記信号送受信機との間の通信形態によって表示項目が変更することを特徴とする請求項８に記載の放射線画像撮影システム。
【請求項１０】
前記放射線検出器と前記信号送受信機とを有線通信するためのケーブルを接続するケーブルコネクタは、前記放射線検出器の放射線入射面以外の面に設けたことを特徴とする請求項８に記載の放射線画像撮影システム。
【請求項１１】
前記放射線検出器は前記表示部とは別の報知器を有し、前記無線通信の信号受信状態が放射線画像撮影に適さないとき、前記報知器によって警告することを特徴とする請求項８に記載の放射線画像撮影システム。
【請求項１２】
放射線検出器に電力を供給するバッテリと放射線検出センサとを有し有線通信及び無線通信により該放射線検出センサで得られる放射線画像を外部装置に送信する放射線検出器の状態を表示する表示部の表示制御方法であって、
前期放射線検出器と前記外部装置との通信形態を示す情報を取得するステップと、
前記通信形態が無線通信である場合には前記表示部の特定の表示領域で前記放射線検出器の残り動作時間を報知させ、前記通信形態が有線通信である場合には前記特定の表示領域で前記バッテリの充電完了に要する時間を報知させるステップと、
を有することを特徴とする表示制御方法。
【請求項１３】
請求項１２の表示制御方法をコンピュータに実行させるためのプログラム。
【発明の詳細な説明】
【技術分野】
【０００１】
本発明は、撮影部と信号送受信機との間の信号受信状態を表示する機能を備えた放射線画像撮影システムに関するものである。
【背景技術】
【０００２】
近年、デジタル技術の進歩により、工業用の非破壊検査や医療診断の場において、対象物を透過した放射線の強度分布を電気信号に変換し、この電気信号を処理することにより可視画像として再生する装置が広く利用されている。また、近年の半導体プロセス技術の進歩に伴い、半導体センサを用いて同様に放射線画像を撮影する装置が開発されている。
【０００３】
これらのシステムは、従来の感光性フィルムを用いる放射線画像撮影システムと比較して、非常に広いダイナミックレンジを有し、放射線の露光量の変動に影響され難い放射線画像を得ることができる利点を有している。更には、従来の感光性フィルム方式とは異なり、化学処理が不要なため、廃液処理の問題も解消されると共に、即時的に出力画像を得ることができる利点もある。
【０００４】
通常では、この種の撮影装置は撮影室に設置して利用されているが、回診撮影や様々な姿勢での撮影を行うために、より薄型、軽量で可搬性を有する撮影装置が求められてきている。
【０００５】
また従来の撮影装置は、撮影部と操作部とをケーブルを介して接続することにより、通信や電力供給等を行っており、このケーブルが移動や撮影の際に操作性を損ねる原因となっている。
【０００６】
そこで、特許文献１においては、撮影部と操作部とを無線により無線通信する撮影装置や無線通信システムが提案されている。
【先行技術文献】
【特許文献】
【０００７】
【特許文献１】特開２００３−２１０４４４号公報
【発明の概要】
【発明が解決しようとする課題】
【０００８】
通常では、撮影部と操作部とを無線通信する場合には、撮影室で撮影の準備を行い、制御室で撮影部の操作や放射線の照射を行う。この撮影方法においては、撮影者は撮影室と制御室の２つの部屋を往来し、制御室内に設置してあるモニタを介して、初めて撮影部と操作部との間の信号受信状態が悪く、無線通信が不可能なことを認識する場合がある。このような場合には、撮影者は再度撮影室に入室して撮影準備をやり直す必要が生ずる。
【０００９】
また、病床での回診Ｘ線撮影においても無線通信を用いることもある。この回診Ｘ線撮影においては、被写体である患者とベッドや車椅子との間に撮影部を挿入して撮影を行う。撮影者は撮影の準備を行った後に、移動型Ｘ線発生装置上のモニタで初めて、撮影部と操作部との間の信号受信状態が悪く、撮影不可能な状態であることを認識することがある。この場合においても、再度撮影準備をやり直す必要がある。
【００１０】
上述のように、無線通信による放射線画像撮影での課題の１つに、信号受信状態の不具合による撮影準備のやり直し作業の発生の問題がある。
【００１１】
本発明の目的は、上述の問題点を解消し、信号受信状態による撮影準備のやり直しの作業を軽減することができる放射線画像撮影システムを提供することにある。
【課題を解決するための手段】
【００１２】
そこで本発明の実施形態に係る放射線検出器は、放射線検出センサと、前記放射線検出器に電力を供給するバッテリと、前記放射線検出センサで得られた画像を無線通信及び有線通信により外部装置に送信する通信手段と、前記有線通信のため及び前記バッテリへの電力供給を行うための接続部と、表示部と、前記通信手段と前記外部装置との通信形態が無線通信である場合には前記表示部の特定の表示領域で前記放射線検出器の残り動作時間を報知させ、前記通信形態が有線通信である場合には前記特定の表示領域で前記バッテリの充電完了に要する時間を報知させる表示制御手段と、を有することを特徴とする。
【発明の効果】
【００１３】
本発明に係る放射線画像撮影システムによれば、信号受信状態による撮影準備のやり直しを軽減することができる。
【図面の簡単な説明】
【００１４】
【図１】実施例１の放射線画像撮影システムの構成図である。
【図２】実施例１の撮影部、信号送受信機及び操作部の構成図である。
【図３】信号受信状態表示部及び撮影情報表示画面の説明図である。
【図４】実施例２の撮影部、信号送受信機及び操作部の構成図である。
【図５】実施例２の回診撮影システムの概略図である。
【図６】実施例３の撮影部、信号送受信機及び操作部の構成図である。
【図７】実施例３の放射線画像撮影システムの構成図である。
【発明を実施するための形態】
【００１５】
本発明を図示の実施例に基づいて詳細に説明する。
【実施例１】
【００１６】
図１は実施例１における病院内での撮影を想定した放射線画像撮影システムの構成図、図２は撮影部、信号送受信機及び操作部の構成図である。撮影室１内には、被検者である患者Ｓが立位する前方に立位用架台２が配置され、この立位用架台２にはＸ線画像を撮影する撮影部３を内包するケース部４が取り付けられている。また、患者Ｓの後方にはＸ線を照射するＸ線発生装置のＸ線管球５が設けられている。
【００１７】
ケース部４の内部には、放射線を検知するためのフォトタイマや散乱線カット用のグリッドを駆動するブッキーユニット等が内蔵可能である。撮影部３内には、患者Ｓを透過したＸ線の強度分布を検出する図示しないＸ線検出センサや、撮影部３へ電力を供給するバッテリを内蔵している。
【００１８】
また、撮影部３は有線通信又は無線通信の何れでも接続可能な送受信手段を有することにより、撮影室１に設置された信号送受信機６に接続可能とされていると共に、信号送受信機６には撮影室１内に設置された外部電源７が接続されている。
【００１９】
撮影部３には、撮影者が撮影部３と信号送受信機６との間の信号受信状態を視覚的に確認するための信号受信状態表示部８と、患者情報等を確認するための文字や画像から成る撮影情報表示部９とが並設されている。本実施例１においては、この信号受信状態表示部８及び撮影情報表示部９は患者Ｓ等によって隠れてしまうことを防止するために、撮影部３の放射線入射面以外の側面に設置されている。
【００２０】
また撮影部３の側面には、有線通信をするためのケーブルコネクタ１０が設けられ、信号送受信機６に設けられたケーブルコネクタ１１とケーブル１２を介して接続可能となっている。撮影部３に設けたケーブルコネクタ１０は、患者Ｓ等によって接続し難くなることを防止するために、撮影部３の放射線入射面以外の面に設置することが好ましい。
【００２１】
信号送受信機６はケーブル１３を介して、Ｘ線の制御や取得したＸ線画像の画像処理等を行う制御室１４内の操作部１５に接続されている。更に、この操作部１５には、撮影した放射線画像や撮影条件、患者情報等を表示するモニタ１６及びキーボード等の入力部１７が接続されている。これにより、撮影部３と信号送受信機６は無線通信によりにより接続され、信号送受信機６と操作部１５とはケーブル１３を介して接続される。
【００２２】
撮影を行う場合には、先ず撮影者は撮影室１内において患者Ｓと立位用架台２とを適切な位置関係となるようにセッティングする。次に、撮影者は撮影室１内において撮影部３に設けた信号受信状態表示部８から信号受信状態、撮影情報表示部９から患者Ｓの患者情報等を確認する。そして、撮影部３と信号送受信機６との間の無線通信による信号受信状態が、Ｘ線撮影に適切な場合には撮影準備に移行する。
【００２３】
しかし、撮影部３と信号送受信機６との間の信号受信状態が立位用架台２等の影響により、不適切な場合には撮影部３のケーブルコネクタ１０と信号送受信機６のケーブルコネクタ１１をケーブル１２を用いて接続し、有線通信とする。そして、有線通信とすることにより、信号受信状態が適切な状態とした後に撮影準備に移行する。
【００２４】
続いて、撮影者は撮影室１から制御室１４に移動し、操作部１５から撮影要求信号を送信することによりＸ線発生装置のＸ線管球５からＸ線を照射する。撮影部３の検出パネルで、患者Ｓを透過したＸ線画像はデジタル画像として撮影され、撮影画像は操作部１５に転送されモニタ１６に表示される。
【００２５】
上述のように、撮影者は撮影室１内において、信号受信状態表示部８により、信号受信状態の確認ができ、信号受信状態に適した通信方法を選択することができるため、撮影準備のやり直し作業を軽減することができる。
【００２６】
また撮影部３には、信号受信状態表示部８とは別に、音、振動等によって警告する報知器を設け、信号受信状態がＸ線撮影に適さない場合には、視覚以外の感覚に働きかけて周囲に警告することも可能である。
【００２７】
また有線通信時には、撮影部３と信号送受信機６をケーブル１２で接続するため、撮影部３内のバッテリ残量が少ない、バッテリ残量がないなどの場合には、外部電源７から信号送受信機６、撮影部３を駆動させるための電力を供給することができる。同時に、外部電源７からの撮影部３内のバッテリに充電することもできる。
【００２８】
図３（ａ）は撮影部３の無線通信時における信号受信状態表示部８及び撮影情報表示部９の画面を示し、図３（ｂ）は有線通信時における信号受信状態表示部８及び撮影情報表示部９の画面を示している。
【００２９】
信号受信状態表示部８により、無線通信時においては撮影部３と信号送受信機６との間の信号受信状態を確認でき、有線通信時においてはケーブル１２と撮影部３又は信号送受信機６との接触不良やケーブルの断線等を確認することができる。
【００３０】
図３（ａ）に示す無線通信時において、撮影情報表示部９には患者情報２１、撮影条件２２、撮影部ＩＤ２３、撮影部３のバッテリ残量２４、バッテリ駆動時間２５、撮影履歴２６が表示されている。
【００３１】
また、図３（ｂ）に示す有線通信時においては、図３（ａ）に示すバッテリ残量２４とバッテリ駆動時間２５が、それぞれバッテリ充電状態２７とバッテリ充電完了時間２８に変更される。なお、バッテリ充電状態２７とはバッテリの状態が充電中か充電完了かを表示するものであり、バッテリ充電完了時間２８は充電が完了するまでの残り時間を表示する項目である。有線通信時には、外部電源７から電力供給されるため、バッテリ残量２４、残り駆動時間２５を表示する必要はなくなる。
【００３２】
このように、撮影情報表示部９の表示項目を無線通信又は有線通信によって変更することにより、撮影情報として必要な情報と不必要な情報を見間違えることを防止することができると共に、表示部領域を有効活用できる。
【実施例２】
【００３３】
図４は実施例２の構成図を示し、撮影部３から信号受信状態表示部８及び撮影情報表示部９を分離し、ケーブル３１を介して撮影部３と接続している。なお、実施例１と同一の部材には同一の符号を付している。
【００３４】
例えば、撮影部３を患者Ｓとベッドの間に挿入して使用する場合や撮影部３を架台２内に収納して使用する場合に、撮影者は撮影部３に設けた信号受信状態表示部８の確認が困難になることがある。そこで、本実施例２においては、撮影部３から信号受信状態表示部８及び撮影情報表示部９を分離させることにより、撮影者の手元で信号受信状態表示部８及び撮影情報表示部９を確認することができる。なお、信号受信状態表示部８及び撮影情報表示部９の表示内容は実施例１と同様である。
【００３５】
図５は実施例２における回診撮影システムの概略図を示しており、操作者Ｏは撮影部３をベッド３２と患者Ｓの間に挿入し、移動型Ｘ線撮影装置４１からＸ線を照射することによりＸ線撮影を行う。一般に、移動型Ｘ線撮影装置４１の本体４２の下部には車輪４３、４４が設けられ、任意の位置に移動可能であり、本体４２内には信号送受信機６及び操作部１５が内蔵されている。更に、本体４２には任意に位置調整可能なアーム部４５が取り付けられ、このアーム部４５の先端にはＸ線管球５が固定されている。
【００３６】
また、本体４２内には操作部１５が内蔵されており、移動型Ｘ線撮影装置４１の上部の図示しない操作卓の操作が可能とされている。実施例１と同様に、撮影部３と信号送受信機６は信号受信状態によって、有線通信又は無線通信の何れの通信も方式も適用可能である。
【実施例３】
【００３７】
図６は実施例３の構成図、図７は病院内での撮影を想定した放射線画像撮影システムの概略図を示している。信号送受信機６には信号受信状態表示部８及び撮影情報表示部９が設けられている。前述したように、撮影部３を患者Ｓとベッドの間に挿入して使用する場合や、撮影部３を架台２内に収納して使用する場合がある。このような場合に、実施例１、２のように撮影部３に信号受信状態表示部８及び撮影情報表示部９が設けられていると、撮影者は信号受信状態及び患者情報の確認が困難となる場合がある。
【００３８】
そこで本実施例３においては、信号送受信機６に信号受信状態表示部８及び撮影情報表示部９を設けることにより、撮影者は撮影部３の撮影状態や姿勢に左右されることなく、信号受信状態表示部８及び撮影情報表示部９を確認することができる。
【００３９】
また、信号送受信機６と操作部１５とは、ケーブル１３を介して接続されているため、信号受信状態に影響を受けることなく撮影情報表示部９の表示をすることが可能である。
【００４０】
撮影者は撮影室１内に設置してある信号送受信機６の信号受信状態表示部８から信号受信状態を確認し、信号受信状態がＸ線撮影に適切な場合には、撮影準備に移行する。しかし、信号受信状態が不適切な場合には撮影部３のケーブルコネクタ１０と信号送受信機６のケーブルコネクタ１１とをケーブル１２により接続して有線通信とすることによって、信号受信状態を適切にした後に、撮影準備に移行する。
【００４１】
このように、信号送受信機６に信号受信状態表示部８を設けることにより、撮影者は撮影室１内で信号受信状態の確認と信号受信状態に達した通信方法を選択することができるため、撮影準備のやり直し作業を軽減することができる。
【産業上の利用可能性】
【００４２】
以上の説明では、発明を実施するための形態について説明したが、本発明はこれらの形態に限定されないことは云うまでもなく、その要旨の範囲内で種々の変形及び変更が可能である。
【符号の説明】
【００４３】
１  撮影室
２  立位用架台
３  撮影部
５  Ｘ線管球
６  信号送受信機
７  外部電源
８  信号受信状態表示部
９  撮影情報表示部
１２、１３  ケーブル
１４  制御室
１５  操作部
１６  モニタ
１７  入力部
４１  移動型Ｘ線撮影装置
【図１】
0005875618.tif 000002
【図２】
0005875618.tif 000003
【図３】
0005875618.tif 000004
【図４】
0005875618.tif 000005
【図５】
0005875618.tif 000006
【図６】
0005875618.tif 000007
【図７】
0005875618.tif 000008